(57)【特許請求の範囲】
【請求項１】
セル参照信号によりダウンリンクチャネルを推定し、チャネル推定値を得ることと、
送信側と受信側のアンテナ数に基づいて、各受信アンテナにおける送信ダイバーシチモードに基づくサブ搬送波の受信データを複数組の受信データに分けることと、
前記複数組の受信データのそれぞれの組の受信データを、２つのポートで送信を行い単一のポートで受信を行う復調アルゴリズムにより独立して復調し、対応する１組の復調データを得ることと、
同一送信データに対応する複数組の復調データを、それぞれの組に対応するチャネル状況に基づいて最大比合成し、前記同一送信データに対応する復調最終データ値を得ることと、
を含み、
各受信アンテナにおける送信ダイバーシチモードに基づくサブ搬送波の受信データを複数組の受信データに分けることは、
同一受信アンテナの隣接する２つの前記サブ搬送波のデータが１組となるようにＫ組に分ける（但し、Ｋ＝Ｍ・Ｎ／２、Ｎ、Ｍは、それぞれ送信側と受信側のアンテナ数である。）ことを含む、
ことを特徴とするＬＴＥシステムのダウンリンク送信ダイバーシチモードに基づくデータ復調方法。
【請求項２】
同一送信データに対応する複数組の復調データを、それぞれの組に対応するチャネル状況に基づいて最大比合成することは、
ダウンリンクチャネルのチャネル推定値に基づいて各組の復調データの信号対干渉雑音比ＳＩＮＲi（但し、ｉ＝１，…，Ｋ、Ｋは前記複数組の受信データの組数である）を測定することと、
各組の復調データに対応する信号対干渉雑音比ＳＩＮＲiに基づいて、前記複数組の復調データを最大比合成し、前記同一送信データに対応する復調最終データ値を得ることと、
を含むことを特徴とする請求項１に記載のデータ復調方法。
【請求項３】
前記最大比合成操作は、下式により行われることを特徴とする請求項２に記載のデータ復調方法。
0005599877.tif 000032
（但し、λiとλjは、第i組、第j組(i,j = 1,…,K)の最大比合成係数をそれぞれ示すものであり、得られた前記同一送信データに対応する復調最終データ値は、
0005599877.tif 000033
を満足する。
0005599877.tif 000034
は、前記同一送信データに対応する復調最終データ値を、
0005599877.tif 000035
は、第i組の復調データをそれぞれ示すものである。）
【請求項４】
各組の復調データの信号対干渉雑音比ＳＩＮＲiは、下式により決定されることを特徴とする請求項２または３に記載のデータ復調方法。
0005599877.tif 000036
（但し、h11とh21は、同一組内の第１の送信ポートと第２の送信ポートのそれぞれから第１の受信ポートまでのチャネル推定値、σ2は、各組に対して同一に設定される干渉雑音電力であり、
0005599877.tif 000037
は、モジュラス値演算を示すものである。）
【請求項５】
セル参照信号によりダウンリンクチャネルを推定し、チャネル推定値を得るチャネル推定手段と、
送信側と受信側のアンテナ数に基づいて、各受信アンテナにおける送信ダイバーシチモードに基づくサブ搬送波の受信データを複数組の受信データに分けるデータグルーピング手段と、
前記複数組の受信データのそれぞれの組の受信データを、２つのポートで送信を行い単一のポートで受信を行う復調アルゴリズムにより独立して復調し、対応する１組の復調データを得る独立復調手段と、
同一送信データに対応する複数組の復調データを、それぞれの組に対応するチャネル状況に基づいて最大比合成し、前記同一送信データに対応する復調最終データ値を得る復調最終データ値設定手段と、
を備え、
前記データグルーピング手段が各受信アンテナにおける送信ダイバーシチモードに基づくサブ搬送波の受信データを複数組の受信データに分けることは、
同一受信アンテナの隣接する２つの前記サブ搬送波のデータが１組となるようにＫ組に分ける（但し、Ｋ＝Ｍ・Ｎ／２、Ｎ、Ｍは、それぞれ送信側と受信側のアンテナ数である。）ことを含む、
ことを特徴とするＬＴＥシステムのダウンリンク送信ダイバーシチモードに基づくデータ復調装置。
【請求項６】
前記チャネル推定手段により測定されたダウンリンクチャネルのチャネル推定値に基づいて各組の復調データの信号対干渉雑音比ＳＩＮＲi（但し、ｉ＝１，…，Ｋ、Ｋは前記複数組の受信データの組数である）を測定する信号対干渉雑音比測定手段をさらに備え、
前記復調最終データ値設定手段は、同一送信データに対応する複数組の復調データを、前記信号対干渉雑音比測定手段により測定された、各組の復調データに対応する信号対干渉雑音比ＳＩＮＲiに基づいて最大比合成し、前記同一送信データに対応する復調最終データ値を得ることを特徴とする請求項５に記載のデータ復調装置。
【請求項７】
前記復調最終データ値設定手段は、下式により前記最大比合成操作を行うことを特徴とする請求項６に記載のデータ復調装置。
0005599877.tif 000038
（但し、λiとλjは、第i組、第j組(i,j = 1,…,K)の最大比合成係数をそれぞれ示すものであり、得られた前記同一送信データに対応する復調最終データ値は、
0005599877.tif 000039
を満足する。ただし、
0005599877.tif 000040
は、前記同一送信データに対応する復調最終データ値を、
0005599877.tif 000041
は、第i組の復調データをそれぞれ示すものである。）
【請求項８】
前記信号対干渉雑音比測定手段は、下式により各組の復調データの信号対干渉雑音比ＳＩＮＲiを決定することを特徴とする請求項６または７に記載のデータ復調装置。
0005599877.tif 000042
（但し、h11とh21は、同一組内の第１の送信ポートと第２の送信ポートのそれぞれから第１の受信ポートまでのチャネル推定値、σ2は、各組に対して同一に設定される干渉雑音電力であり、
0005599877.tif 000043
は、モジュラス値演算を示すものである。）
【発明の詳細な説明】
【技術分野】
【０００１】
本発明は、ＬＴＥ（Ｌｏｎｇ−Ｔｅｒｍ  Ｅｖｏｌｕｔｉｏｎ）システム分野に関し、特にＬＴＥシステムのダウンリンク送信ダイバーシチモードに基づくデータ復調方法及び復調装置に関する。
【背景技術】
【０００２】
従来、無線通信技術は、例えば限りのある帯域幅と送信電力、クライアントのより速い移動速度によるドップラー効果、干渉、信号減衰、マルチパス効果などによって制限されている。研究の進化や発展に伴い、将来の移動通信広帯域無線移動と無線アクセスとを組み合わせたシステムが、注目されている研究課題となり、ＭＩＭＯ（Ｍｕｌｔｉｐｌｅ  Ｉｎｐｕｔ  Ｍｕｌｔｉｐｌｅ  Ｏｕｔｐｕｔ）システムが、注目されている研究ホットスポットの一つである。ＭＩＭＯの基本思想は、送信側および受信側の一方または両方に複数のアンテナを用いて、時空間処理（ｓｐａｃｅ−ｔｉｍｅ  ｐｒｏｃｅｓｓｉｎｇ）技術により、十分にチャネル間の独立したフェーディング特性（ｆａｄｉｎｇ  ｃｈａｒａｃｔｅｒｉｓｔｉｃｓ）を活用して、周波数スペクトルの利用率、通信品質、システム容量を向上させることである。
【０００３】
時空間符号化は、ＭＩＭＯシステムの基礎となる。時空間符号化技術は、空間領域と時間領域との間の直交または準直交特性を用いて、ある設計準則に応じて符号化の冗長情報を時空間の二次元平面に極力均一にマッピングすることにより、無線マルチパス送信による空間選択性フェーディングおよび時間選択性フェーディングの影響を低減させ、無線チャネルにおける高信頼性の高速データ送信を実現するものである。２本の送信アンテナに基づくＳＴＢＣ（Ｓｐａｃｅ  Ｔｉｍｅ  Ｂｌｏｃｋ  Ｃｏｄｉｎｇ）は、１９９８年にＡｌａｍｏｕｔｉ氏により提案されており、フェーディングチャネルにおいて受信リンクの品質を大いに向上させることができ、簡単に実現することができ、受信機による復号化の複雑度が低いため、３ＧＰＰ（３ｒｄ  Ｇｅｎｅｒａｔｉｏｎ  Ｐａｒｔｎｅｒｓｈｉｐ  Ｐｒｏｊｅｃｔ）やＩＥＥＥ（Ｉｎｓｔｉｔｕｔｅ  ｆｏｒ  Ｅｌｅｃｔｒｉｃａｌ  ａｎｄ  Ｅｌｅｃｔｒｏｎｉｃ  Ｅｎｇｉｎｅｅｒｓ）８０２．１６などのプロトコルに採用されている。しかし、Ａｌａｍｏｕｔｉ符号化の場合、チャネルを前後２つの時刻に変動しないことが求められているため、フェーディング環境の場合、ＳＦＢＣ（Ｓｐａｃｅ  Ｆｒｅｑｕｅｎｃｙ  Ｂｌｏｃｋ  Ｃｏｄｉｎｇ）は、低速フェーディング環境のみにおいて性能が確保できるＳＴＢＣよりも安定化し、ＳＦＢＣのような隣接するサブチャネル又はサブ搬送波に適用するマルチ搬送波技術の方が、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、直交周波数分割符号化）技術に基づくＬＴＥマルチ搬送波変調システムに適用する。
【０００４】
図１ａ、図１ｂは、２つのポートと４つのポートのそれぞれの場合のＬＴＥ無線通信システムにおけるダイバーシチ送信方法の原理を示すブロック図である。４つの送信ポートにより送信ダイバーシチモードを利用する場合は、２本の送信アンテナを用いてデータレートを犠牲にせずにダイバーシチゲインを得る場合と異なり、Ｎ個のコード要素に対して２Ｎ個のサブ搬送波が必要であるため、データレートが低下する。ＬＴＥシステムにおいて送信ダイバーシチモードで複数のポートにより全レートで送信を行うために、プロトコルでは、４つのポートの場合にＳＦＢＣ＋ＦＳＴＤ（Ｆｒｅｑｕｅｎｃｙ  Ｓｗｉｔｃｈｅｄ  Ｔｒａｎｓｍｉｔ  Ｄｉｖｅｒｓｉｔｙ）に基づくダウンリンク送信ダイバーシチ方式を利用すると規定されている。従って、伝統的な２つのポートに基づく復調方法をそのまま、４つのポートを用いたモードに適用した場合、性能ロスが発生する。符号化行列を直接反転する方法を利用した場合には、ダウンリンク復調アルゴリズムの複雑度が急激に高くなる。
【０００５】
このため、関連技術の欠点を解消するために、新規な解決策が求められる。
【発明の概要】
【発明が解決しようとする課題】
【０００６】
本発明は、ＬＴＥ通信システムが複数のポートによる送信ダイバーシチモードにおいて全レートでデータの送信を行うことを確保し、対応するダイバーシチゲインを確保するように、ＬＴＥシステムのダウンリンク送信ダイバーシチモードに基づくデータ復調方法及び復調装置、具体的には、ＬＴＥ通信システムのダウンリンクにＳＦＢＣ＋ＦＳＴＤに基づく送信ダイバーシチアルゴリズムを用いる受信側復調アルゴリズムを提供することを目的とする。
【課題を解決するための手段】
【０００７】
本発明のＬＴＥシステムのダウンリンク送信ダイバーシチモードに基づくデータ復調方法は、セル参照信号によりダウンリンクチャネルを推定し、チャネル推定値を得ることと、送信側と受信側のアンテナ数に基づいて、各受信アンテナにおける送信ダイバーシチモードに基づくサブ搬送波の受信データを複数組の受信データに分けることと、前記複数組の受信データのそれぞれの組の受信データを、２つのポートで送信を行い単一のポートで受信を行う復調アルゴリズムにより独立して復調し、対応する１組の復調データを得ることと、同一送信データに対応する複数組の復調データを、それぞれの組に対応するチャネル状況に基づいて最大比合成し、前記同一送信データに対応する復調最終データ値を得ることと、を含み、各受信アンテナにおける送信ダイバーシチモードに基づくサブ搬送波の受信データを複数組の受信データに分けることは、同一受信アンテナの隣接する２つの前記サブ搬送波のデータが１組となるようにＫ組に分ける（但し、Ｋ＝Ｍ・Ｎ／２、Ｎ、Ｍは、それぞれ送信側と受信側のアンテナ数である。）ことを含む、ことを特徴としている。
【０００８】
同一送信データに対応する複数組の復調データを、それぞれの組に対応するチャネル状況に基づいて最大比合成することは、ダウンリンクチャネルのチャネル推定値に基づいて各組の復調データの信号対干渉雑音比ＳＩＮＲi（但し、ｉ＝１，…，Ｋ、Ｋは複数組の受信データの組数である）を測定することと、各組の復調データに対応する信号対干渉雑音比ＳＩＮＲiに基づいて、複数組の復調データを最大比合成し、同一送信データに対応する復調最終データ値を得ることと、を含むことが好ましい。
【０００９】
最大比合成操作は、下式により行われることが好ましい。
0005599877.tif 000002
（但し、λiとλjは、第i組、第j組(i,j = 1,…,K)の最大比合成係数をそれぞれ示すものであり、得られた同一送信データに対応する復調最終データ値は、
0005599877.tif 000003
を満足する。
0005599877.tif 000004
は、同一送信データに対応する復調最終データ値を、
0005599877.tif 000005
は、第i組の復調データをそれぞれ示すものである。）
【００１１】
各組の復調データの信号対干渉雑音比ＳＩＮＲiは、下式により決定されることが好ましい。
0005599877.tif 000006
（但し、h11と h21は、同一組内の第１の送信ポートと第２の送信ポートのそれぞれから第１の受信ポートまでのチャネル推定値、σ2は、各組に対して同一に設定される干渉雑音電力であり、
0005599877.tif 000007
は、モジュラス値演算を示すものである。）
【００１２】
本発明のＬＴＥシステムのダウンリンク送信ダイバーシチモードに基づくデータ復調装置は、セル参照信号によりダウンリンクチャネルを推定し、チャネル推定値を得るチャネル推定手段と、送信側と受信側のアンテナ数に基づいて、各受信アンテナにおける送信ダイバーシチモードに基づくサブ搬送波の受信データを複数組の受信データに分けるデータグルーピング手段と、前記複数組の受信データのそれぞれの組の受信データを、２つのポートで送信を行い単一のポートで受信を行う復調アルゴリズムにより独立して復調し、対応する１組の復調データを得る独立復調手段と、同一送信データに対応する複数組の復調データを、それぞれの組に対応するチャネル状況に基づいて最大比合成し、前記同一送信データに対応する復調最終データ値を得る復調最終データ値設定手段と、を備え、前記データグルーピング手段が各受信アンテナにおける送信ダイバーシチモードに基づくサブ搬送波の受信データを複数組の受信データに分けることは、同一受信アンテナの隣接する２つの前記サブ搬送波のデータが１組となるようにＫ組に分ける（但し、Ｋ＝Ｍ・Ｎ／２、Ｎ、Ｍは、それぞれ送信側と受信側のアンテナ数である。）ことを含む、ことを特徴としている。
【００１３】
チャネル推定手段により測定されたダウンリンクチャネルのチャネル推定値に基づいて各組の復調データの信号対干渉雑音比ＳＩＮＲi（但し、ｉ＝１，…，Ｋ、Ｋは複数組の受信データの組数である）を測定する信号対干渉雑音比測定手段をさらに備え、復調最終データ値設定手段は、同一送信データに対応する複数組の復調データを、信号対干渉雑音比測定手段により測定された、各組の復調データに対応する信号対干渉雑音比ＳＩＮＲiに基づいて最大比合成し、同一送信データに対応する復調最終データ値を得ることが好ましい。
【００１４】
復調最終データ値設定手段は、下式により最大比合成操作を行うことが好ましい。
0005599877.tif 000008
（但し、λiとλjは、第i組、第j組(i,j = 1,…,K)の最大比合成係数をそれぞれ示すものであり、得られた同一送信データに対応する復調最終データ値は、
0005599877.tif 000009
を満足する。
0005599877.tif 000010
は、同一送信データに対応する復調最終データ値を、
0005599877.tif 000011
第i組の復調データをそれぞれ示すものである。）
【００１６】
信号対干渉雑音比測定手段は、下式により各組の復調データの信号対干渉雑音比ＳＩＮＲiを決定することが好ましい。
0005599877.tif 000012
（但し、h11とh21は、同一組内の第１の送信ポートと第２の送信ポートのそれぞれから第１の受信ポートまでのチャネル推定値、σ2は、各組に対して同一に設定される干渉雑音電力であり、
0005599877.tif 000013
は、モジュラス値演算を示すものである。）
【発明の効果】
【００１７】
本発明のＬＴＥシステムのダウンリンク送信ダイバーシチモードでのマルチポートの場合の受信側復調方法及び復調装置によれば、まずセル参照信号によりダウンリンクチャネルを推定し、そして受信側と送信側のアンテナ数に基づいて各受信アンテナの各サブ搬送波の受信データをグルーピングし、２つのポートによる復号化方法により各組の受信データから復調データを取得し、その後、好ましくは、各組に対応する信号対干渉雑音比により各組の復調データを最大比合成することにより、ＬＴＥ通信システムが、システムの送信レートを確保しながら、空間ダイバーシチ技術を用いてシステムの性能を向上させることができる。
【図面の簡単な説明】
【００１８】
図面は、本発明を更に理解するためのものであり、明細書の一部を構成し、本発明の実施例と共に本発明を解釈するものであるが、これらの実施例は、本発明を限定するものではない。図面において、
【図１ａ】関連技術に係るＬＴＥ無線通信システムにおける２つのポートでのダイバーシチ送信方法の原理を示すブロック図である。
【図１ｂ】関連技術に係るＬＴＥ無線通信システムにおける４つのポートでのダイバーシチ送信方法の原理を示すブロック図である。
【図２】本発明の実施例に係るＬＴＥシステムのダウンリンク送信ダイバーシチモードに基づく復調方法の実施形態のフローチャートである。
【図３】本発明の好適な実施例に係るＬＴＥシステムのダウンリンク送信ダイバーシチモードでの復調方法の実施形態のフローチャートである。
【図４】本発明の実施例に係るＬＴＥシステムのダウンリンク送信ダイバーシチモードに基づく復調装置の構成を示すブロック図である。
【図５】本発明の好適な実施例に係るＬＴＥシステムのダウンリンク送信ダイバーシチモードでの復調装置の好適な構成を示すブロック図である。
【発明を実施するための形態】
【００１９】
以下、図面を参照しながら、本発明の好適な実施例について説明する。なお、ここで説明する好適な実施例は、本発明を説明して解釈するものに過ぎず、本発明を限定するものではない。
【００２０】
図２は、本発明の実施例に係るＬＴＥシステムのダウンリンク送信ダイバーシチモードに基づく復調方法のフローチャートを示している。
この復調方法では、まずステップＳ２０２において、セル参照信号によりダウンリンクチャネルを推定し、チャネル推定値を得る。
次いでステップＳ２０４において、送信側と受信側のアンテナ数に基づいて、各受信アンテナの各サブ搬送波の受信データを複数組の受信データに分ける（グルーピングする）。
次いでステップＳ２０６において、これら複数組の受信データのそれぞれの組を、２つのポートで送信を行い単一のポートで受信を行う復調アルゴリズムにより独立して復調し、対応する１組の復調データを得る。
最後にステップＳ２０８において、同一送信データに対応する複数組の復調データを、これら複数組の復調データのそれぞれの組に対応するチャネル状況に基づいて最大比合成し、当該同一送信データに対応する復調最終データ値を得る。
【００２１】
本実施例において、まずセル参照信号によりダウンリンクチャネルを推定し、そして受信側と送信側のアンテナ数に基づいて各受信アンテナの各サブ搬送波の受信データをグルーピングし、２つのポートによる復号化方法により各組の受信データから復調データを取得し、その後、好ましくは、各組に対応する信号対干渉雑音比により各組の復調データを最大比合成することにより、ＬＴＥ通信システムが、システムの送信レートを確保しながら、空間ダイバーシチ技術を用いてシステムの性能を向上させることができる。
【００２２】
図３は、本発明の好適な実施例に係るＬＴＥシステムのダウンリンク送信ダイバーシチモードでの復調方法の実施形態のフローチャートである。この復調方法は、次のステップＳ３０１〜ステップＳ３０７を含む。
【００２３】
ステップＳ３０１において、各受信アンテナが、各送信アンテナにより送信されたセル参照信号が位置する時間領域位置である一定のＲＥ（Ｒｅｓｏｕｒｃｅ  Ｅｌｅｍｅｎｔ、リソース要素）位置にて、受信データと既知のセル参照信号とにより当該位置上のチャネル推定値を計算する。計算方法は、ＬＳアルゴリズムを含むが、それに限定されない。
【００２４】
ステップＳ３０２において、前のステップＳ３０１の結果に基づいて、補間アルゴリズムによりダウンリンクでの全てのＲＥのチャネル推定値を求める。補間アルゴリズムは、線形補間アルゴリズムを含むが、それに限定されない。
【００２５】
ステップＳ３０３において、受信側と送信側のアンテナ数に基づいて、組数Ｋ（Ｋ＝Ｍ・Ｎ／２）を決定する。但し、Ｎ、Ｍは、それぞれ送信側と受信側のアンテナ数である。
【００２６】
ステップＳ３０４において、同一受信アンテナの隣接する２つのサブ搬送波のデータが１組となる原則により、各受信アンテナにおける送信ダイバーシチモードに基づく各サブ搬送波の受信データをＫ組の受信データに分ける。
【００２７】
ステップＳ３０５において、２つのポートで送信を行い単一のポートで受信を行うＳＦＢＣ復調アルゴリズムにより、これら複数組の受信データのそれぞれの組を独立して復調し、対応する１組の復調データを得る。
【００２８】
本実施例において、各組の受信データをそれぞれ独立して復調する。具体的には、各組の受信データに用いる復調アルゴリズムは、下記の通りである。
ステップＳ３０４でグルーピングされたいずれか１組の受信データを
0005599877.tif 000014
、対応する送信データを
0005599877.tif 000015
とすると、送信側の送信ダイバーシチモジュールによりコーディングされたデータは、行列状の
0005599877.tif 000016
である。ただし、各列が、同一のＲＥにおけるアンテナポートの各々にマッピングされたデータ符号を、各行が、同一ポートでの各ＲＥにマッピングされたデータ符号をそれぞれ示し、
0005599877.tif 000017
は、行列の転置演算を示す。すると、受信側の復調データは、
0005599877.tif 000018
と推定される。
但し、hijが、当該組内の送信ポートi(i = 1,…,N)から受信ポートj(j = 1,…,M)までのチャネル推定値を、
0005599877.tif 000019
が、複数h11のモジュラス値（modulus）をそれぞれ示す。
これにより、合計でＫ組の復調データ
0005599877.tif 000020
を得る。
【００２９】
ステップＳ３０６において、各組の復調データの信号対干渉雑音比ＳＩＮＲi（ｉ＝１，…，Ｋ）を測定する。
具体的には、得られた信号対干渉雑音比ＳＩＮＲiは、対応するサブ搬送波のチャネル電力の大きさと干渉雑音電力により決められる。信号対干渉雑音比を計算する測定アルゴリズムは、本例で説明したように各組の干渉雑音電力を同一とし、組内のチャネル推定値の幅の大きさに基づいて信号対干渉雑音比を決定する方法を含むが、それに限定されない。具体的には、
0005599877.tif 000021
である。
但し、h11とh21は、同一組内の第１の送信ポートおよび第２の送信ポートのそれぞれから第１の受信ポートまでのチャネル推定値、σ2は、干渉雑音電力の大きさである。
【００３０】
ステップＳ３０７において、同一送信データに対応する複数組の復調データを、それぞれの組に対応する信号対干渉雑音比に基づいて最大比合成し、同一送信データに対応する復調最終データ値を得る。
具体的な準則は、以下の通りである。
（１）送信側が２つのポートを有する場合
Ｋ＝Ｍ組の復調データは、いずれも同一送信データ
0005599877.tif 000022
に対応するため、各組の最大比合成係数λi（ｉ＝１，…，Ｍ）は、下式により得られる。  
0005599877.tif 000023
中には、ｉ、ｊ＝１，…，Ｋである。
これにより、得られた復調最終データ値は、
0005599877.tif 000024
である。
（２）送信側が４つのポートを有する場合
Ｋ＝２Ｍ組の復調データのうち、第１のユニットのＭ組の復調データは、送信データ
0005599877.tif 000025
に、他方の第２のユニットもＭ組の復調データは、送信データ
0005599877.tif 000026
に対応するため、各ユニットの各組の最大比合成係数λp,i（ただし、ｐ＝0または１、ｉ＝１，…，Ｍであり、ｐは、0と１である場合に、第１のユニットのＭ組の復調データと第２のユニットのＭ組の復調データのそれぞれに対応する）は、下式により得られる。
0005599877.tif 000027
ただし、ｐ＝0または１、ｉ、ｊ＝１，…，Ｍである。
これにより、得られた復調最終データ値は、
0005599877.tif 000028
である。
【００３１】
図４は、本発明の実施例に係るダウンリンク送信ダイバーシチモードに基づく復調装置の構成を示すブロック図である。この復調装置は、セル参照信号によりダウンリンクチャネルを推定するチャネル推定手段１０と、送信側と受信側のアンテナ数に基づいて各受信アンテナにおける送信ダイバーシチモードに基づく各サブ搬送波の受信データをグルーピングし、複数組の受信データを得るデータグルーピング手段２０と、チャネル推定手段１０およびデータグルーピング手段２０に接続され、データグルーピング手段２０から受信した複数組の受信データのそれぞれの組を、２つのポートで送信を行い単一のポートで受信を行う復調アルゴリズムにより独立して復調し、対応する１組の復調データを得る独立復調手段３０と、独立復調手段３０およびチャネル推定手段１０に接続され、同一送信データに対応する複数組の復調データを、これら複数組の復調データのそれぞれの組に対応するチャネル状況に応じて最大比合成し、同一送信データに対応する復調最終データ値を得る復調最終データ値設定手段５０と、を備える。
【００３２】
本実施例において、まずセル参照信号によりダウンリンクチャネルを推定し、そして受信側と送信側のアンテナ数に基づいて各受信アンテナの各サブ搬送波の受信データをグルーピングし、２つのポートによる復号化方法により各組の受信データから復調データを取得し、その後、好ましくは、各組に対応する信号対干渉雑音比により各組の復調データを最大比合成することにより、ＬＴＥ通信システムが、システムの送信レートを確保しながら、空間ダイバーシチ技術を用いてシステムの性能を向上させることができる。
【００３３】
図５は、本発明の好適な実施例に係るＬＴＥシステムのダウンリンク送信ダイバーシチモードでの復調装置の好適な構成を示すブロック図である。図５に示すように、当該構成ブロック図は、チャネル推定手段１０と復調最終データ値設定手段５０との間に接続され、各組の復調データの信号対干渉雑音比ＳＩＮＲi（ｉ＝１，…，Ｋ）を測定する信号対干渉雑音比測定手段４０をさらに備える以外は、図４に示す構成ブロック図と同様である。
【００３４】
復調最終データ値設定手段５０は、信号対干渉雑音比測定手段４０により測定された各組の復調データに対応する信号対干渉雑音比ＳＩＮＲiに基づいて、複数組の復調データを最大比合成し、同一送信データに対応する復調最終データ値を得ることが好ましい。ここで、最大比合成操作は、下式により行われる。
0005599877.tif 000029
ただし、λiとλjは、第i組、第j組(i,j = 1,…,K)の最大比合成係数を示す。
これにより、同一送信データに対応する復調最終データ値
0005599877.tif 000030
が得られる。ただし、
0005599877.tif 000031
は、第i組の復調データを示す。
【００３５】
本実施例において、データグルーピング手段２０は、受信側と送信側のアンテナ数に基づいて組数Ｋを決定し、同一受信アンテナの隣接する２つのサブ搬送波のデータが１組となる原則により、受信したデータをＫ組の受信データに分けることが好ましい。中には、Ｋ＝Ｍ・Ｎ／２であり、ＮとＭは、それぞれ送信側と受信側のアンテナ数を示す。
【００３６】
また、図５に示す実施例において、信号対干渉雑音比測定手段４０は、各組の干渉雑音電力を同一に設定することにより、各組のチャネル推定値の幅の大きさに基づいて信号対干渉雑音比ＳＩＮＲiを決定することが好ましい。
【００３７】
上述したように、本発明によるＬＴＥシステムのダウンリンク送信ダイバーシチモードに基づくデータ復調方法及び装置は、いずれのアンテナ配置状況においても、ダイバーシチアルゴリズムを用いたシステムの性能を確保し、実用においては、コストや装置の複雑度を低減することができ、エンジニアリングの実現に極めて有利である。
【００３８】
以上は、本発明の好適な実施例に過ぎず、本発明の保護範囲を限定するものではない。当業者であれば、本発明の様々な変更や変形が可能である。本発明の精神や原則を逸脱しないいずれの変更、置換、改良なども本発明の保護範囲内に含まれる。
【図１ａ】
0005599877.tif 000044
【図１ｂ】
0005599877.tif 000045
【図２】
0005599877.tif 000046
【図３】
0005599877.tif 000047
【図４】
0005599877.tif 000048
【図５】
0005599877.tif 000049